(57)【要約】【課題】張り出しの大きい建築用装飾材１０であっても、取り付け治具２０を用いて、容易にかつ安定した状態で建造物２０に固定できるようにする。【解決手段】建築用装飾材１０は建造物３０に当接する面である背面側に凹溝１３が形成されている。取り付け治具２０は凹溝１３内に入り込む大きさの内側が空間２４である凸条２１と上下の固定用フランジ２２，２３とを備える。取り付け治具２０を上下の固定用フランジ２２，２３を建造物３０に釘やビス等の固定具２６で打ち付けて取り付ける。建築用装飾材１０は、取り付け治具２０の凸条２１に凹溝１３を挿入した状態で、その背面側を建造物３０に接着剤により接着固定されている。【選択図】図３
2009138425.tif 000002
【特許請求の範囲】
【請求項１】
芯材が発泡樹脂であり表面に樹脂やモルタル等で被覆が形成された建築用装飾材を建造物に取り付ける構造であって、
建築用装飾材は建造物に当接する面である背面側に凹溝が形成されたものであり、前記凹溝内に入り込む大きさの内側が空間である凸条と該凸条の端部に一体に形成された上下の固定用フランジとを備えた取り付け治具が、前記上下の固定用フランジを建造物に釘やビス等の固定具で打ち付けられた状態で固定されており、前記建築用装飾材は、前記凸条に前記凹溝を挿入した状態で、その背面側を建造物に固定されていることを特徴とする建造物への建築用装飾材の取り付け構造。
【請求項２】
前記凸条およびまたは凹溝に接着剤を塗布した状態で、前記固定された取り付け治具の凸条に前記建築用装飾材の凹溝が挿入されていることを特徴とする請求項１に記載の建造物への建築用装飾材の取り付け構造。
【請求項３】
前記建築用装飾材はその全横幅方向に前記凹溝が形成されており、前記取り付け治具はその横幅が前記凹溝の横幅とほぼ等しい長さであることを特徴とする請求項１または２に記載の建造物への建築用装飾材の取り付け構造。
【請求項４】
前記建築用装飾材はその全横幅方向に前記凹溝が形成されており、前記取り付け治具はその横幅が前記凹溝の横幅と比較して幅の狭い長さのものであり、前記取り付け治具を２個以上用いて前記建築用装飾材が固定されていることを特徴とする請求項１または２に記載の建造物への建築用装飾材の取り付け構造。
【請求項５】
前記凸条の空間内に軽量充填材が充填されていること特徴とする請求項１から４のいずれか１項に記載の建造物への建築用装飾材の取り付け構造。
【発明の詳細な説明】
【技術分野】
【０００１】
本発明は、建造物への建築用装飾材の取り付け構造に関し、特に、軽量かつ任意の外観意匠を持つものとして容易に作り出すことのできる、芯材が発泡樹脂であり表面に樹脂やモルタル等で被覆が形成された建築用装飾材を建造物へ取り付ける構造に関する。
【背景技術】
【０００２】
各種建造物の屋内外に、構造材としてではなくもっぱら装飾の目的で、芯材が発泡樹脂であり表面に樹脂やモルタル等で被覆が形成された建築用装飾材を取り付けることが行われる（特許文献１、特許文献２等参照）。この形態の建築用装飾材は軽量であり、建造物側への固定は、特許文献１あるいは特許文献２に記載のように、接着剤を用いて行うか、接着剤と共に釘やビスのような固定具を用いて行っている。また、特許文献３には押出成形により得られる低発泡合成樹脂材製建築用外装化粧板を建物外壁面に固定する構造が記載されており、そこでは外壁面に桟木を釘等で打ち付け固定し、桟木を上下方向に挟み付けるようにして外装化粧板を固定するようにしている。
【０００３】
【特許文献１】特開平１０−２３１６１４号公報
【特許文献２】特開２００２−３７１７０４号公報
【特許文献３】実開平０７−１０２１０号公報
【発明の開示】
【発明が解決しようとする課題】
【０００４】
芯材として発泡樹脂を用いた建築用装飾材は軽量材であり、比較的小型のもであれば、接着剤のみにより建造物の壁面等に安定して固定するができる。しかし、大きくある程度の重さを持つものになると、接着剤のみでは不安定であり、接着剤と共に釘やビス等の固定具を用いて建造物側に固定することが行われるが、その場合には、表面意匠性を損なわないように、打ち込んだ固定具の頭部等を何らかの手段で外から見えなくするための作業が必要となる。
【０００５】
桟木を建造物側に釘やビス等で固定し、それを利用して建築用装飾材を取り付ける方法は、接着剤のみによる固定よりも安定性が得られ、また表面意匠性も損なわれない。しかし、桟木の場合、桟木の高さとの関係で、建造物の壁面等である取り付け面から前方への張り出し距離が制限されがちであり、張り出しの大きい建築用装飾材を安定して固定するには、充分なものではない。また、桟木を固定するための釘やビスの長さにも限度があり、その点からも、張り出し距離の大きい桟木を用いることができない。さらに、張り出し距離が大きく、長さの長い桟木は重量物であり、建造物への固定作業も容易でない。
【０００６】
本発明は、上記のような事情に鑑みてなされたものであり、張り出しの大きい建築用装飾材であっても、取り付け作業が容易であり、かつ安定した状態で建造物に固定することのできる建造物への建築用装飾材の取り付け構造を開示することを課題とする。
【課題を解決するための手段】
【０００７】
上記の課題を解決するための本発明は、芯材が発泡樹脂であり表面に樹脂やモルタル等で被覆が形成された建築用装飾材を建造物に取り付ける構造であって、建築用装飾材は建造物に当接する面である背面側に凹溝が形成されたものであり、前記凹溝内に入り込む大きさの内側が空間である凸条と該凸条の端部に一体に形成された上下の固定用フランジとを備えた取り付け治具が、前記上下の固定用フランジを建造物に釘やビス等の固定具で打ち付けられた状態で固定されており、前記建築用装飾材は、前記凸条に前記凹溝を挿入した状態で、その背面側を建造物に固定されていることを特徴とする。
【０００８】
本発明による建造物への建築用装飾材の取り付け構造は、建築用装飾材の背面側に形成した凹溝の中に、取り付け治具の凸条を挿入する固定構造であり、前方への張り出しが大きい建築用装飾材であっても、その張り出し量に応じた前後幅の凹溝を建築用装飾材に形成すること、および、該凹溝に応じた張り出し距離を持つ凸条を持つ取り付け治具を作ること、により、取り付け治具の凸条を片持ち梁として利用して安定した状態で建築用装飾材を取り付け治具に装着することができる。なお、限定されるものではないが、前記凹溝は、凹溝内に当該建築用装飾材の重心をとおる水平面が含まれるようにして、芯材の背面から前面側に向けて形成されるのが好ましい。また、限定されるものではないが、前記建築用装飾材は、前記凸条に前記凹溝を挿入した状態で、その背面側を接着剤または粘着剤で建造物に固定されていることが好ましい。
【０００９】
取り付け治具の凸条は内側が空間であり、軽量化が可能であるとともに、該凸条の端部に一体に形成された上下の固定用フランジを備えており、その上下の固定用フランジを用いることにより、取り付け治具の建造物側への固定も容易かつ確実に行うことができる。
【００１０】
そして、建築用装飾材は、その凹溝を前記取り付け治具の片持ち梁として機能する凸条を挿入した状態で、かつ、その背面側は接着剤により建造物に接着固定されており、固定態様は高い安定性を持つ。
【００１１】
前記取り付け治具は、所要の剛性を持つことを条件に任意の材料で作ることができる。例えば、樹脂材料、繊維強化した樹脂材料、金属材料などが挙げられる。樹脂材料としては、塩化ビニル樹脂、アクリル樹脂などが好適であり、金属材料としてはアルミニウム材、ステンレス材などが好適である。
【００１２】
本発明による建造物への建築用装飾材の取り付け構造の一態様では、前記凸条およびまたは凹溝に接着剤を塗布した状態で、前記固定された取り付け治具の凸条に前記建築用装飾材の凹溝が挿入されていることを特徴とする。この態様では、建築用装飾材の背面と建造物との衝接面に加えて、建築用装飾材の凹溝と取り付け治具と凸条との間も接着剤で固定されるので、建築用装飾材の取り付け態様はさらに安定する。
【００１３】
本発明による建造物への建築用装飾材の取り付け構造の一態様では、前記建築用装飾材はその全横幅方向に前記凹溝が形成されており、前記取り付け治具はその横幅が前記凹溝の横幅とほぼ等しい長さであることを特徴とする。この態様では、建築用装飾材の全横幅が、片持ち梁として機能する前記凸条に支持されるので、より安定した取り付け態様となる。
【００１４】
本発明による建造物への建築用装飾材の取り付け構造の一態様では、前記建築用装飾材はその全横幅方向に前記凹溝が形成されており、前記取り付け治具はその横幅が前記凹溝の横幅と比較して幅の狭い長さのものであり、前記取り付け治具を２個以上用いて前記建築用装飾材が固定されていることを特徴とする。建築用装飾材の重量が比較的軽量である場合には、この態様が有効である。具体的には、幅の狭い取り付け治具で、例えば建築用装飾材の左右端部と中央部を支持するような態様がある。
【００１５】
本発明による建造物への建築用装飾材の取り付け構造の一態様では、取り付け治具の前記凸条の空間内に軽量充填材が充填されていることを特徴とする。この態様では、凸条の空間内に軽量充填材を充填することにより、片持ち梁としての剛性を高くすることができるので、取り付け治具そのものをより薄い材料で作ることが可能となり、取り付け治具の軽量化が図られる。軽量充填材としては、発泡または非発泡の樹脂材料や無機材料の発泡体などを用いることができる。
【発明の効果】
【００１６】
本発明によれば、張り出しの大きい建築用装飾材であっても、容易にかつ安定した状態で建造物に固定することが可能となる。
【発明を実施するための最良の形態】
【００１７】
以下、図面を参照しながら、本発明を実施の形態に基づき説明する。図１は建築用装飾材の一例を背面側から見て示す斜視図、図２は取り付け治具の２つの例を示す斜視図、図３は図１に示す建築用装飾材を図２に示す取り付け治具を用いて建造物に固定する手順を説明する断面図である。図４は建造物への建築用装飾材の取り付け構造の他の例を示す断面図である。
【００１８】
この例において、建築用装飾材１０は、例えばポリスチレン系の発泡樹脂である芯材１１と、その表面側を被覆する樹脂やモルタル等である被膜１２からなり、上方側が下方側と比較して大きく前方に張り出している。芯材１１の背面側から前面側に向けて、芯材１１の全幅方向に亘って、凹溝１３が形成されており、また、凹溝１３の背面側端部における上下の部分には、後記する取り付け治具２０に形成した固定用フランジ２２，２３のための切り込み１４が形成されている。この例で、前記凹溝１３は、建築用装飾材１０の重心位置をとおる水平面が含まれるようにして、芯材１１の背面側から前面側に向けて形成されている。
【００１９】
図２（ａ）は取り付け治具２０の一形態を示しており、この取り付け治具２０は塩化ビニル樹脂製である。取り付け治具２０の横幅は上記した建築用装飾材１０の横幅とほぼ同じであり、上記した建築用装飾材１０の芯材１１に形成した凹溝１３内に隙間のない状態で入り込むことのできる凸条２１と、該凸条２１の端部に一体に形成した上下の固定用フランジ２２，２３とを備える。そして、前記凸条２１の内側は内部空間２４とされている。図２（ａ）に２５で示すものは、前記凸条２１の内部空間２４内に充填される大きさと形状の、発泡樹脂などからなる軽量充填材であり、必要に応じて、用いられる。
【００２０】
図２（ｂ）に示す取り付け治具２０Ａは、その断面形状は前記した取り付け治具２０と同じであるが、横幅が取り付け治具２０と比較して小さい。この取り付け治具２０Ａは、図示のように、２個以上が組みとなって用いられる。また、取り付け治具２０Ａにおいても、必要な場合には、前記軽量充填材２５と同様な、発泡樹脂などからなる軽量充填材２５Ａが用いられる。
【００２１】
前記した建築用装飾材１０を建造物３０に取り付ける手順を説明する。最初に、図３（ａ）に示すように、建造物３０の壁面等に前記取り付け治具２０を取り付ける。取り付けに際しては、取り付け治具２０に形成した上下の固定用フランジ２２，２３の部分にビス等の固定具２６を打ち込むようにする。それにより、取り付け治具２０の前記凸条２１の部分が、片持ち梁の状態で、建造物３０の壁面から突出した状態となる。
【００２２】
その状態で、建築用装飾材１０の背面側に接着剤を塗布し、また必要な場合には、取り付け治具２０の凸条２１の表面にも接着剤を塗布しておき、前記凹溝１３内に取り付け治具２０の凸条２１が入り込むようにして、建築用装飾材１０を建造物３０の壁面に向けて押し付ける。押し付け後の状態が図３（ｂ）に示されており、建築用装飾材１０は、塗布した接着剤による固定力に加えて、片持ち梁として機能する前記取り付け治具２０の凸条２１に支持された状態で、建造物３０に極めて安定した状態で固定される。
【００２３】
軽量化等の目的で、取り付け治具２０を肉薄のものとしたときに、取り付け治具２０の特に凸条２１の剛性が不足し、建築用装飾材１０が重たいものである場合に、片持ち梁としての機能を奏し得ない場合が起こり得る。その場合には、図３に示すように、前記した軽量充填材２５を凸条２１の内部空間２４内に挿入した状態で、取り付け治具２０を建造物３０に固定する。
【００２４】
図示しないが、図２（ｂ）に示す取り付け治具２０Ａを用いる場合には、取り付けようとする建築用装飾材１０の左右端の位置に２個、さらには中央に１個の取り付け治具２０Ａを建造物３０側に取り付け、その状態で、上記したと同様にして建築用装飾材１０の固定を行う。必要な場合には、凸条２１の内部空間２４内に軽量充填材２５Ａを挿入することも同様である。
【００２５】
図４は、建築用装飾材の取り付け構造の他の態様を示している。この態様では、取り付け治具２０の凸条２１ａが上に傾斜した状態とされており、かつ、建築用装飾材１０の芯材１１に形成する凹溝１３ａも、凸条２１ａの傾斜に合わせて、上に傾斜した状態で形成されている。その他の点は、図３に示したものと同じである。この取り付け構造では、接着剤の機能が低下したとき等においても、固定状態を安定させておくことができる利点がある。
【００２６】
上記のように、本発明による建築用装飾材の取り付け構造では、取り付け治具２０に形成した凸条２１が片持ち梁として機能した状態で建築用装飾材１０を支持するので、図示のように前方へ張り出しが大きい建築用装飾材１０であっても、安定して建造物３０に対して固定することができる。
【図面の簡単な説明】
【００２７】
【図１】建築用装飾材の一例を背面側から見て示す斜視図。
【図２】取り付け治具の２つの例を示す斜視図。
【図３】図１に示す建築用装飾材を図２（ａ）に示す取り付け治具を用いて建造物に固定する手順を説明する断面図。
【図４】建造物への建築用装飾材の取り付け構造の他の例を示す断面図。
【符号の説明】
【００２８】
１０…建築用装飾材、１１…芯材、１２…被膜、１３…凹溝、１４…切り込み、２０、２０Ａ…取り付け治具、２１…凸条、２３，２３…固定用フランジ、２４…凸条の内部空間、２５，２５Ａ…軽量充填材、３０…建造物
【図１】
2009138425.tif 000003
【図２】
2009138425.tif 000004
【図３】
2009138425.tif 000005
【図４】
2009138425.tif 000006